(57)【要約】  移動通信機器の回路基板に他種の移動通信機器のモジュール基板を最適な配線材を用いて接続することができる配線構造を提供する。  メイン基板２と、第１モジュール基板８と、同軸ケーブル用コネクタ及びフレキシブルプリント基板に実装されるコネクタに嵌合可能であり、前記第１モジュール基板に実装されている第１コネクタと、前記第１コネクタに嵌合する第２コネクタ１０と、前記第２コネクタに取り付けられており、前記メイン基板と前記第１モジュール基板とを電気的に接続する配線材６ａ，６ｂ，１４ａ〜１４ｅとを備える。
2021024941.tif 000002
【特許請求の範囲】
【請求項１】
同一方向に向けて露出する接触点を有し且つ並列に配置される第１接続端子及び第２接続端子、並びに前記同一方向と反対方向に向けて露出する接触点を有し前記第１接続端子及び前記第２接続端子と並行に配置される第３接続端子を有する相手コネクタであって、モジュール基板に実装される前記相手コネクタと前記モジュール基板の面と交差する方向に嵌合するコネクタにおいて、
一端部に同軸ケーブルの芯線と接続する芯線接続部及び他端部に前記相手コネクタと嵌合した際に前記相手コネクタの前記第１接続端子と接続する第１接点部を有する第１コンタクトと、
一端部に前記同軸ケーブルの外部シールドと接続するシールド接続部及び他端部に前記相手コネクタと嵌合した際に前記相手コネクタの前記第２接続端子と接続する第２接点部を有し、且つ前記相手コネクタの前記第２接続端子を介して前記モジュール基板のグランドに接続する第２コンタクトと、
一端部に前記同軸ケーブルと異なる回路を形成する電線と接続する電線接続部及び他端部に前記相手コネクタと嵌合した際に前記相手コネクタの前記第３接続端子と接続する第３接点部を有する第３コンタクトと、
を備えることを特徴とするコネクタ。
【請求項２】
前記相手コネクタは、フレキシブルプリント基板に実装されるコネクタに嵌合可能であることを特徴とする請求項１記載のコネクタ。
【請求項３】
前記同軸ケーブルの前記外部シールドと直接または間接に接続し、且つ前記第１コンタクトと前記第３コンタクトとの間の少なくとも一部を遮蔽する第１遮蔽板を備え、
前記第１遮蔽板は、前記モジュール基板のグランドに直接または間接に接続することを特徴とする請求項１または請求項２記載のコネクタ。
【請求項４】
前記同軸ケーブルの前記外部シールドと直接または間接に接続し、且つ前記第１コンタクト及び前記第３コンタクトを配置する方向外側における前記第１コンタクトの少なくとも一部を遮蔽する第２遮蔽板を備え、
前記第２遮蔽板は、前記モジュール基板のグランドに直接または間接に接続することを特徴とする請求項１または請求項２記載のコネクタ。
【請求項５】
前記同軸ケーブルの前記外部シールドと直接または間接に接続し、且つ前記第１コンタクト及び前記第２コンタクトを配列する方向片側または両側における前記第１コンタクトの少なくとも一部を遮蔽する第３遮蔽板を備え、
前記第３遮蔽板は、前記モジュール基板のグランドに直接または間接に接続することを特徴とする請求項１または請求項２記載のコネクタ。
【請求項６】
前記同軸ケーブルが前記コネクタに挿入される挿入方向は、前記相手コネクタと嵌合する嵌合方向と直交する方向に沿う方向であることを特徴とする請求項１〜請求項５の何れか一項に記載のコネクタ。
【請求項７】
前記同軸ケーブルは、前記電線より前記相手コネクタと嵌合する嵌合部側に挿入されることを特徴とする請求項１〜請求項６の何れか一項に記載のコネクタ。
【請求項８】
前記電線は、前記同軸ケーブルより前記相手コネクタと嵌合する嵌合部側に挿入されることを特徴とする請求項１〜請求項６の何れか一項に記載のコネクタ。
【請求項９】
メイン基板と、
第１モジュール基板と、
同軸ケーブル用コネクタ及びフレキシブルプリント基板に実装されるコネクタに嵌合可能であり、前記第１モジュール基板に実装されている第１コネクタと、
前記第１コネクタに嵌合する第２コネクタと、
前記第２コネクタに取り付けられており、前記メイン基板と前記第１モジュール基板とを電気的に接続する配線材と、
を備えることを特徴とする配線構造。
【請求項１０】
前記第２コネクタに取り付けられており、前記メイン基板と前記第１モジュール基板とを電気的に接続する電線を更に備え、
前記配線材によって形成される第１回路及び前記電線によって形成される第２回路は、異なる回路であることを特徴とする請求項９記載の配線構造。
【請求項１１】
前記メイン基板及び前記配線材は、前記メイン基板に実装されている第２モジュール基板を介して電気的に接続されることを特徴とする請求項９または請求項１０記載の配線構造。
【請求項１２】
前記配線材は、前記配線構造を内蔵する携帯電子機器のヒンジ部に配置されることを特徴とする請求項９〜請求項１１の何れか一項に記載の配線構造。
【請求項１３】
前記配線材は、同軸ケーブルまたはフレキシブルプリント基板であることを特徴とする請求項９〜請求項１２の何れか一項に記載の配線構造。
【請求項１４】
前記第１モジュール基板は、スマートフォン用通信モジュール基板であることを特徴とする請求項９〜請求項１３の何れか一項に記載の配線構造。
【発明の詳細な説明】
【技術分野】
【０００１】
本発明は、主に移動通信機器の機器内配線などに用いるためのコネクタ及び配線構造に関するものである。
【背景技術】
【０００２】
次世代（第５世代、５Ｇ）の移動通信システムが実現されようとしている。移動通信機器の機器内配線などに用いる様々な同軸ケーブルやコネクタが提案されている（例えば特許文献１参照）。
【先行技術文献】
【特許文献】
【０００３】
【特許文献１】特開２００８−２１８０６４号公報
【発明の概要】
【発明が解決しようとする課題】
【０００４】
次世代においては、移動通信機器としてスマートフォンのみでなくノートパソコン等を使用することが想定されている。しかしながら、スマートフォン以外の移動通信機器にスマートフォン用のアンテナモジュールを使用することが望まされており、スマートフォン用のアンテナモジュールをノートパソコン等の回路基板に接続する方法について検討中である。【０００５】
また、次世代では既存周波数帯よりも高い周波数帯を用いるが、高周波数帯では電波伝搬損失が増大するため、次世代用のアンテナモジュールにおいては、例えばアンテナ指向性など様々な条件が厳しくなっている。制約の多い次世代用のアンテナモジュールにあっては、電気的に接続させるための配線材も複数の中から選択できるようにした方がよい。例えば、回路基板とアンテナモジュールとの距離が長くなる場合において、これらをフレキシブルプリント基板で接続させようとするとコストや配線路の確保などの問題が生じる。回路基板とアンテナモジュールとの距離が長くなる場合には、これらを同軸ケーブルで接続することが適当である。一方、回路基板とアンテナモジュールとの距離が短い場合、移動通信機器本体の厚さが薄い場合には、これらをフレキシブルプリント基板で接続することが適当である。このように、厳しい制約事項を有する次世代用のアンテナモジュールが様々な種類や形状の移動通信機器に搭載できるように、回路基板とアンテナモジュールとの最適な伝送路を選択できるようにしておくことが望ましい。【０００６】
本発明の目的は、移動通信機器の回路基板に他種の移動通信機器のモジュール基板を最適な配線材を用いて接続することができるコネクタ及び配線構造を提供することである。
【課題を解決するための手段】
【０００７】
本発明のコネクタは、同一方向に向けて露出する接触点を有し且つ並列に配置される第１接続端子及び第２接続端子、並びに前記同一方向と反対方向に向けて露出する接触点を有し前記第１接続端子及び前記第２接続端子と並行に配置される第３接続端子を有する相手コネクタであって、モジュール基板に実装される前記相手コネクタと前記モジュール基板の面と交差する方向に嵌合するコネクタにおいて、一端部に同軸ケーブルの芯線と接続する芯線接続部及び他端部に前記相手コネクタと嵌合した際に前記相手コネクタの前記第１接続端子と接続する第１接点部を有する第１コンタクトと、一端部に前記同軸ケーブルの外部シールドと接続するシールド接続部及び他端部に前記相手コネクタと嵌合した際に前記相手コネクタの前記第２接続端子と接続する第２接点部を有し、且つ前記相手コネクタの前記第２接続端子を介して前記モジュール基板のグランドに接続する第２コンタクトと、一端部に前記同軸ケーブルと異なる回路を形成する電線と接続する電線接続部及び他端部に前記相手コネクタと嵌合した際に前記相手コネクタの前記第３接続端子と接続する第３接点部を有する第３コンタクトと、を備えることを特徴とする。【０００８】
また、本発明のコネクタの前記相手コネクタは、フレキシブルプリント基板に実装されるコネクタに嵌合可能であることを特徴とする。【０００９】
また、本発明のコネクタは、前記同軸ケーブルの前記外部シールドと直接または間接に接続し、且つ前記第１コンタクトと前記第３コンタクトとの間の少なくとも一部を遮蔽する第１遮蔽板を備え、前記第１遮蔽板は、前記モジュール基板のグランドに直接または間接に接続することを特徴とする。【００１０】
また、本発明のコネクタは、前記同軸ケーブルの前記外部シールドと直接または間接に接続し、且つ前記第１コンタクト及び前記第３コンタクトを配置する方向外側における前記第１コンタクトの少なくとも一部を遮蔽する第２遮蔽板を備え、前記第２遮蔽板は、前記モジュール基板のグランドに直接または間接に接続することを特徴とする。【００１１】
また、本発明のコネクタは、前記同軸ケーブルの前記外部シールドと直接または間接に接続し、且つ前記第１コンタクト及び前記第２コンタクトを配列する方向片側または両側における前記第１コンタクトの少なくとも一部を遮蔽する第３遮蔽板を備え、前記第３遮蔽板は、前記モジュール基板のグランドに直接または間接に接続することを特徴とする。【００１２】
また、本発明のコネクタは、前記同軸ケーブルが前記コネクタに挿入される挿入方向が前記相手コネクタと嵌合する嵌合方向と直交する方向に沿う方向であることを特徴とする。【００１３】
また、本発明のコネクタは、前記同軸ケーブルが前記電線より前記相手コネクタと嵌合する嵌合部側に挿入されることを特徴とする。【００１４】
また、本発明のコネクタは、前記電線が前記同軸ケーブルより前記相手コネクタと嵌合する嵌合部側に挿入されることを特徴とする。【００１５】
また、本発明の配線構造は、メイン基板と、第１モジュール基板と、同軸ケーブル用コネクタ及びフレキシブルプリント基板に実装されるコネクタに嵌合可能であり、前記第１モジュール基板に実装されている第１コネクタと、前記第１コネクタに嵌合する第２コネクタと、前記第２コネクタに取り付けられており、前記メイン基板と前記第１モジュール基板とを電気的に接続する配線材と、を備えることを特徴とする。【００１６】
また、本発明の配線構造は、前記第２コネクタに取り付けられており、前記メイン基板と前記第１モジュール基板とを電気的に接続する電線を更に備え、前記配線材によって形成される第１回路及び前記電線によって形成される第２回路は、異なる回路であることを特徴とする。【００１７】
また、本発明の配線構造は、前記メイン基板及び前記配線材が前記メイン基板に実装されている第２モジュール基板を介して電気的に接続されることを特徴とする。【００１８】
また、本発明の配線構造の前記配線材は、前記配線構造を内蔵する携帯電子機器のヒンジ部に配置されることを特徴とする。【００１９】
また、本発明の配線構造の前記配線材は、同軸ケーブルまたはフレキシブルプリント基板であることを特徴とする。【００２０】
また、本発明の配線構造の前記第１モジュール基板は、スマートフォン用通信モジュール基板であることを特徴とする。
【発明の効果】
【００２１】
本発明によれば、移動通信機器の回路基板に他種の移動通信機器のモジュール基板を最適な配線材を用いて接続することができるコネクタ及び配線構造を提供することができる。
【図面の簡単な説明】
【００２２】
【図１】第１の実施の形態に係るアンテナモジュール基板と回路基板との間の配線に係る配線構造の概略構成を示す図である。
【図２】第１の実施の形態に係るアンテナモジュール基板に実装されるレセプタクルコネクタ及び該レセプタクルコネクタに嵌合したプラグコネクタの構成を示す斜視図である。
【図３】第１の実施の形態に係るレセプタクルコネクタ及びプラグコネクタの構成を示す斜視図である。
【図４】第１の実施の形態に係るプラグコネクタの構成を示す斜視図である。
【図５】第１の実施の形態に係るプラグコネクタの構成を示す分解図である。
【図６】第１の実施の形態に係るレセプタクルコネクタ及びプラグコネクタが嵌合した状態を示す図である。
【図７】他の実施の形態に係るプラグコネクタの構成を示す斜視図である。
【図８】他の実施の形態に係るプラグコネクタの構成を示す分解図である。
【図９】他の実施の形態に係るレセプタクルコネクタ及びプラグコネクタが嵌合した状態を示す図である。
【図１０】他の実施の形態に係るレセプタクルコネクタ及びプラグコネクタの構成を示す斜視図である。
【図１１】他の実施の形態に係るプラグコネクタの構成を示す斜視図である。
【図１２】他の実施の形態に係るプラグコネクタの構成を示す分解図である。
【図１３】他の実施の形態に係るレセプタクルコネクタ及びプラグコネクタが嵌合した状態を示す図である。
【図１４】第２の実施の形態に係るアンテナモジュール基板に実装されるレセプタクルコネクタ及び該レセプタクルコネクタに嵌合したプラグコネクタの構成を示す斜視図である。
【図１５】第２の実施の形態に係るレセプタクルコネクタ及びプラグコネクタの構成を示す斜視図である。
【図１６】第２の実施の形態に係るプラグコネクタの構成を示す斜視図である。
【図１７】第２の実施の形態に係るプラグコネクタの構成を示す分解図である。
【図１８】第２の実施の形態に係るプラグコネクタの構成を示す分解図である。
【図１９】第２の実施の形態に係るレセプタクルコネクタ及びプラグコネクタが嵌合した状態を示す図である。
【図２０】第２の実施の形態に係るプラグコネクタを構成する
【図２１】比較例に係るアンテナモジュール基板と回路基板との接続の概略構成を示す図である。
【発明を実施するための形態】
【００２３】
以下、図面を参照して本発明の第１の実施の形態に係る配線構造及び該配線構造が備えるプラグコネクタについて説明する。図１は、第１の実施の形態に係るスマートフォン用のアンテナモジュール基板とパソコンの回路基板との間の配線に係る配線構造を示す図である。この第１の実施の形態に係る配線構造１は、スマートフォン以外の移動通信機器（携帯情報端末、携帯電子機器）、例えばパソコン（ノートパソコン）の回路基板（メイン基板）２と、スマートフォン用通信モジュール基板であるアンテナモジュール基板（第１モジュール基板）８と、アンテナモジュール基板８に表面実装されているプラグコネクタ（コネクタ、第１コネクタ）１０と、プラグコネクタ１０に嵌合する相手コネクタであるレセプタクルコネクタ１２（第２コネクタ、図３参照）と、レセプタクルコネクタ１２に取り付けられる配線材である２本の同軸ケーブル６ａ，６ｂと、レセプタクルコネクタ１２に取り付けられる配線材である５本の電線１４ａ〜１４ｅとを備えている。
【００２４】
パソコンの回路基板２には、第２モジュール基板である拡張カード（WIFIモジュール基板、マルチカード用コネクタ、マルチカード用スロット、例えばＭ．２）４が実装されている。拡張カード４には、２本の同軸ケーブル６ａ，６ｂ及び４本の図示しない同軸ケーブルが接続されている。即ち、回路基板２及び同軸ケーブル６ａ，６ｂは、回路基板２に実装されている拡張カード４を介して電気的に接続されている。また、スマートフォン用のアンテナモジュール基板８及び２つの図示しないアンテナモジュール基板は、それぞれ異なる３方向からの電波をキャッチする。同軸ケーブル６ａ，６ｂは、プラグコネクタ１０及びレセプタクルコネクタ１２（図３参照）を介してアンテナモジュール基板８に接続される。同様に、２本の図示しない同軸ケーブルは図示しないアンテナモジュール基板に、残りの２本の図示しない同軸ケーブルは残りの図示しないアンテナモジュール基板に、各々プラグコネクタ及びレセプタクルコネクタを介して接続される。即ち、同軸ケーブル６ａ，６ｂ及び４本の図示しない同軸ケーブルは、各々プラグコネクタ及びレセプタクルコネクタを介して、回路基板２と各々のアンテナモジュール基板とを電気的に接続する。
【００２５】
また、回路基板２には５本の電線１４ａ〜１４ｅが実装されており、５本の電線１４ａ〜１４ｅは、プラグコネクタ１０及びレセプタクルコネクタ１２を介してアンテナモジュール基板８に接続される。即ち、電線１４ａ〜１４ｅは、プラグコネクタ１０及びレセプタクルコネクタ１２を介して、回路基板２とアンテナモジュール基板８とを電気的に接続する。
【００２６】
なお、第１の実施の形態に係る同軸ケーブル６ａ，６ｂによって形成される第１回路は通信回路、電線１４ａ〜１４ｅによって形成される第２回路は電源回路または制御回路であり、第１回路及び第２回路は異なる回路である。第２回路は、第１回路と異なる回路であればよく、電源回路及び制御回路に限定されない。更に、同軸ケーブル６ａ，６ｂ及び電線１４ａ〜１４ｅは、配線構造１を内蔵するパソコンのヒンジ部に配置される。
【００２７】
また、第１の実施の形態においては、モジュール基板としてアンテナモジュール基板８を例に挙げて説明しているが、アンテナモジュール基板８以外のモジュール基板、例えばカメラモジュール基板やＬＣＤモジュール基板であってもよい。
【００２８】
図２はレセプタクルコネクタ１２及びプラグコネクタ１０が嵌合した状態を示す斜視図、図３はレセプタクルコネクタ１２及びプラグコネクタ１０が嵌合していない状態を示す斜視図、図４はプラグコネクタ１０の構成を示す斜視図、図５はプラグコネクタ１０の構成を示す分解図である。また、図６（Ａ）はレセプタクルコネクタ１２とプラグコネクタ１０とが嵌合した状態を示す正面図、図６（Ｂ）は図６（Ａ）のＡ−Ａ断面図、図６（Ｃ）は図６（Ａ）のＢ−Ｂ断面図である。なお、図２〜図６においては、プラグコネクタ１０の構成の説明の便宜上、同軸ケーブル６ａ，６ｂ及び電線１４ａ〜１４ｅの先端部のみを図示している。
【００２９】
また、以下の説明においては、図２に示すＸＹＺ直交座標系を設定し、この直交座標系を参照しつつ各部材の位置関係等について説明する。Ｘ軸はアンテナモジュール基板８の長手方向、Ｙ軸はアンテナモジュール基板８の短手方向、Ｚ軸はレセプタクルコネクタ１２を実装する実装面に直交する方向となるように設定されている。
【００３０】
レセプタクルコネクタ１２は、アンテナモジュール基板８に搭載されており、スマートフォン用のアンテナモジュール基板８に予め実装されるコネクタであって、プラグコネクタ１０のような同軸ケーブル用コネクタ及びフレキシブルプリント基板（ＦＰＣ）に実装されるコネクタ（図９参照）に嵌合可能である。即ち、アンテナモジュール基板８には本来ＦＰＣに実装されるコネクタと嵌合する基板対基板コネクタとして機能するレセプタクルコネクタ１２が実装されているが、プラグコネクタ１０を用いることにより、スマートフォンに使用されるアンテナモジュール基板８をなんら変更することなくパソコン等のスマートフォン以外の移動通信機器の回路基板２と接続することができる。即ち、同一のアンテナモジュール基板８を異なるアプリケーション（スマートフォン及びパソコン等）に用いることができる。
【００３１】
プラグコネクタ１０は、アンテナモジュール基板８の表面に交差する方向（直交する方向に沿う方向）にレセプタクルコネクタ１２と嵌合する。プラグコネクタ１０は、２つのハウジング１６ａ，１６ｂ、２つの第１コンタクト１８ａ，１８ｂ、グランド金具２２、ハウジング２４、５つの第３コンタクト２６ａ〜２６ｅ及びハウジング２８を有している。
【００３２】
ハウジング１６ａ，１６ｂは、樹脂等の絶縁体である。一方の第１コンタクト１８ａは、金属等の導体であって、一方のハウジング１６ａに組み込まれており、第１コンタクト１８ａの一端部（＋Ｚ方向側）には、同軸ケーブル６ａの芯線と電気的に接続する芯線接続部が設けられている。また、第１コンタクト１８ａの他端部（−Ｚ方向側）には、レセプタクルコネクタ１２及びプラグコネクタ１０が嵌合した際に、レセプタクルコネクタ１２の相手側コンタクト３０ａ（第１接続端子、図３参照）と電気的に接続する第１接点部が設けられている。
【００３３】
他方の第１コンタクト１８ｂは、金属等の導体であって、他方のハウジング１６ｂに組み込まれており、第１コンタクト１８ｂの一端部（＋Ｚ方向側）には、同軸ケーブル６ｂの芯線と電気的に接続する芯線接続部が設けられている。また、第１コンタクト１８ｂの他端部（−Ｚ方向側）には、レセプタクルコネクタ１２及びプラグコネクタ１０が嵌合した際に、レセプタクルコネクタ１２の相手側コンタクト３０ｅ（第１接続端子、図３参照）と電気的に接続する第１接点部が設けられている。
【００３４】
グランド金具２２は金属等の導体であって、グランド金具２２の一端部（＋Ｚ方向側）には、同軸ケーブル６ａ，６ｂの外部シールド３６ａ，３６ｂと電気的に接続するシールド接続部が設けられている。また、グランド金具２２の他端部（−Ｚ方向側）には、レセプタクルコネクタ１２及びプラグコネクタ１０が嵌合した際に、レセプタクルコネクタ１２の相手側コンタクト３０ｂ〜３０ｄ（第２接続端子、図３参照）と電気的に接続する第２接点部２０が設けられている。即ち、グランド金具２２は、第２コンタクトとして機能するシールド接続部及び第２接点部２０を備えており、相手側コンタクト３０ｂ〜３０ｄを介してアンテナモジュール基板８のグランドに接続する。また、グランド金具２２は、レセプタクルコネクタ１２及びプラグコネクタ１０が嵌合すると、レセプタクルコネクタ１２のシェル３４と電気的に接続する。即ち、同軸ケーブル６ａ，６ｂの外部シールド３６ａ，３６ｂは、グランド金具２２及びレセプタクルコネクタ１２のシェル３４を介して、アンテナモジュール基板８のグランドに接続する。
【００３５】
また、グランド金具２２は、遮蔽板（第１遮蔽板）２１を有している。遮蔽板２１は、ＹＺ平面に平行な面に沿う面を有しており、第１コンタクト１８ａ，１８ｂと第３コンタクト２６ａ〜２６ｅとの間の少なくとも一部（一部または全部）を遮蔽する。即ち、遮蔽板２１は、グランド金具２２を介して、同軸ケーブル６ａ，６ｂの外部シールド３６ａ，３６ｂと間接的に接続し、ひいてはグランド金具２２及びレセプタクルコネクタ１２のシェル３４を介して、アンテナモジュール基板８のグランドに接続する。したがって、グランドを強化することができる。グランド金具２２は、樹脂等の絶縁体であるハウジング２４に組み込まれている
【００３６】
また、グランド金具２２は、遮蔽板（第３遮蔽板）２３ａ，２３ｂを有している。遮蔽板２３ａ，２３ｂは、ＺＸ平面に平行な面に沿う面を有しており、遮蔽板２３ａは、第１コンタクト１８ａ，１８ｂ及び第２接点部２０（第２コンタクト）を配列する方向（−Ｙ方向）側における第１コンタクト１８ａの少なくとも一部（一部または全部）を遮蔽する。遮蔽板２３ｂは、第１コンタクト１８ａ，１８ｂ及び第２接点部２０（第２コンタクト）を配列する方向（＋Ｙ方向）側における第２コンタクト１８ｂの少なくとも一部（一部または全部）を遮蔽する。即ち、遮蔽板２３ａ，２３ｂは、グランド金具２２を介して、同軸ケーブル６ａ，６ｂの外部シールド３６ａ，３６ｂと間接的に接続し、ひいてはグランド金具２２及びレセプタクルコネクタ１２のシェル３４を介して、アンテナモジュール基板８のグランドに接続する。したがって、グランドを強化することができる。
【００３７】
なお、遮蔽板２１、２３ａ，２３ｂが外部シールド３６ａ，３６ｂと直接接続する構成であってもよく、遮蔽板２１、２３ａ，２３ｂがアンテナモジュール基板８のグランドに直接接続する構成であってもよい。また、＋Ｙ方向側における第１コンタクト１８ａの少なくとも一部（一部または全部）を遮蔽する遮蔽板、及び−Ｙ方向側における第１コンタクト１８ｂの少なくとも一部（一部または全部）を遮蔽する遮蔽板として機能しているのは、第２接点部２０（第２コンタクト）である。
【００３８】
第１コンタクト１８ａ，１８ｂ及び第２接点部２０（第２コンタクト）は、Ｙ方向に並列されている。具体的には、−Ｙ方向から第１コンタクト１８ａ、第２接点部２０、第１コンタクト１８ｂの順に配列されている。即ち、第２接点部２０（第２コンタクト）は、同軸ケーブル６ａ（第１コンタクト１８ａ）と同軸ケーブル６ｂ（第１コンタクト１８ｂ）との間に配置されている。したがって、グランドを強化することができる。レセプタクルコネクタ１２の相手側コンタクト３０ａ〜３０ｅは、同一方向（＋Ｘ方向）に向けて露出する接触点を有し、且つ−Ｙ方向から順に並列に配置されている。
【００３９】
第３コンタクト２６ａ〜２６ｅのそれぞれは、金属等の導体であって、ハウジング２４に組み込まれており、第３コンタクト２６ａ〜２６ｅのそれぞれ一端部には、電線１４ａ〜１４ｅのそれぞれと電気的に接続する電線接続部が設けられている。また、第３コンタクト２６ａ〜２６ｅのそれぞれ他端部には、レセプタクルコネクタ１２及びプラグコネクタ１０が嵌合した際、レセプタクルコネクタ１２の相手側コンタクト３８ａ〜３８ｅ（第３接続端子、図３参照）のそれぞれと電気的に接続する第３接点部が設けられている。第３コンタクト２６ａ〜２６ｅは、ハウジング２４に組み込まれている。また、第３コンタクト２６ａ〜２６ｅは、−Ｙ方向から第３コンタクト２６ａ，２６ｂ，２６ｃ，２６ｄ，２６ｅの順に配列されている。同様に、レセプタクルコネクタ１２の相手側コンタクト３８ａ〜３８ｅは、−Ｘ方向に向けて露出する接触点を有し、−Ｙ方向から順に並列に配置されている。
【００４０】
なお、相手側コンタクト３０ａ〜３０ｅは、相手側コンタクト３８ａ〜３８ｅと並行に配置されており、同一形状であって、それぞれアンテナモジュール基板８に表面実装されている。また、相手側コンタクト３８ａ〜３８ｅは、形状が相手側コンタクト３０ａ〜３０ｅの形状と線対称同一であって、それぞれアンテナモジュール基板８に表面実装されている。相手側コンタクト３０ａの第１コンタクト１８ａと接触する部位はバネ形状であって、この部位が第１コンタクト１８ａの接点部をバネの弾性力を用いて押し付けることにより第１コンタクト１８ａと確実に接続する。同様に、相手側コンタクト３０ｂ〜３０ｅ及び３８ａ〜３８ｅの第１コンタクト１８ｂ、第２接点部２０及び第３コンタクト２６ａ〜２６ｅと接触する部位はバネ形状であって、この部位が第１コンタクト１８ｂ、第２接点部２０及び第３コンタクト２６ａ〜２６ｅの接点部をバネの弾性力を用いて押し付けることにより第１コンタクト１８ｂ、第２接点部２０及び第３コンタクト２６ａ〜２６ｅと確実に接続する。この実施の形態においては、相手側コンタクト３０ｂ〜３０ｅ及び３８ａ〜３８ｅがバネ形状を有しているが、第１コンタクト１８ａ，１８ｂの接点部、第２接点部２０及び第３コンタクト２６ａ〜２６ｅの接点部がバネ形状を有する構成にしてもよい。
【００４１】
また、第１コンタクト１８ａ，１８ｂ及び第２接点部２０の列と、第３コンタクト２６ａ〜２６ｅの列とは、Ｘ方向に並行となるように配置されている。したがって、プラグコネクタ１０を備えるのみで、アンテナモジュール基板８に必要なすべての信号と接続させることができる。第１コンタクト１８ａ，１８ｂの相手側コンタクト３０ａ，３０ｅと接続する接点部及び第２接点部２０と、第３コンタクト２６ａ〜２６ｅの相手側コンタクト３８ａ〜３８ｅと接続する接点部とは、互いに対向している。ハウジング２８は、樹脂等の絶縁体であって、第３コンタクト２６ａ〜２６ｅ及び電線１４ａ〜１４ｅをハウジング２４と挟んだ状態でハウジング２４に固定される。
【００４２】
また、第１コンタクト１８ａ，１８ｂは、間接的にアンテナモジュール基板８のグランドに接続する遮蔽板２１，２３ａ，２３ｂ、グランド金具２２及び第２接点部２０により全方位囲まれているため、第１コンタクト１８ａ，１８ｂのインピーダンスと同軸ケーブル６ａ，６ｂのインピーダンスとが整合した状態で高速信号を良好に伝送することができる。
【００４３】
同軸ケーブル６ａ，６ｂ及び電線１４ａ〜１４ｅがプラグコネクタ１０に挿入される挿入方向は−Ｘ方向であって、これは、プラグコネクタ１０とレセプタクルコネクタ１２とが嵌合する嵌合方向（Ｚ方向）と直交する方向または直交する方向に沿う方向である。また、同軸ケーブル６ａ，６ｂは、電線１４ａ〜１４ｅよりレセプタクルコネクタ１２と嵌合する嵌合部側、即ちアンテナモジュール基板８側（−Ｚ方向側）に挿入されている。
【００４４】
なお、上述の第１の実施の形態においては、電線及び同軸ケーブル用コネクタ（電線＋同軸の複合タイプのコネクタ）であるプラグコネクタ１０を例に挙げて説明したが、レセプタクルコネクタ１２に、プラグコネクタ１０以外の基板対基板コネクタ（ＢｔｏＢコネクタ）、フレキシブルプリント基板に実装される基板対基板コネクタ（ＢｔｏＢ  ｏｎ  ＦＰＣ）、基板対電線コネクタなどを嵌合させることもできる。即ち、制約の多い次世代用のアンテナモジュールにあっては、電気的に接続させるための配線材も複数の中から選択できるようにした方がよいが、この実施の形態においては、アンテナモジュール基板８が様々な種類や形状の移動通信機器に搭載できるように、回路基板２とアンテナモジュール基板８との最適な配線材（伝送路）が選択できる。
【００４５】
例えばプラグコネクタ１０に接続する配線材を電線のみにすると、プラグコネクタ１０は基板対電線コネクタとなる。また、例えばプラグコネクタ１０に代えて、図７に示すようなプラグコネクタ４０を用いてもよい。図７はプラグコネクタ４０の構成を示す斜視図、図８はプラグコネクタ４０の構成を示す分解図である。また、図９（Ａ）はレセプタクルコネクタ１２とプラグコネクタ４０とが嵌合した状態を示す正面図、図９（Ｂ）は図９（Ａ）のＡ−Ａ断面図、図９（Ｃ）は図９（Ａ）のＢ−Ｂ断面図である。プラグコネクタ４０は、レセプタクルコネクタ１２に嵌合可能なコネクタであって、フレキシブルプリント基板４２に実装されるコネクタである。なお、フレキシブルプリント基板４２に代えてリジッド基板を用いると、プラグコネクタ４０は基板対基板コネクタとなる。
【００４６】
プラグコネクタ４０は、フレキシブルプリント基板４２に実装されており、ハウジング４４、１０個のコンタクト４６ａ〜４６ｅ，５０ａ〜５０ｅ及びシェル５２を備えている。フレキシブルプリント基板４２は、パソコンのヒンジ部に配置される。コンタクト４６ａ〜４６ｅ，５０ａ〜５０ｅは、ハウジング４４に組み込まれている。コンタクト４６ａ〜４６ｅのそれぞれは、レセプタクルコネクタ１２及びプラグコネクタ４０が嵌合すると、レセプタクルコネクタ１２の相手側コンタクト３０ａ〜３０ｅのそれぞれと電気的に接続する。同様に、コンタクト５０ａ〜５０ｅのそれぞれは、レセプタクルコネクタ１２及びプラグコネクタ４０が嵌合すると、レセプタクルコネクタ１２の相手側コンタクト３８ａ〜３８ｅのそれぞれと電気的に接続する。また、フレキシブルプリント基板４２に表面実装されているシェル５２は、レセプタクルコネクタ１２及びプラグコネクタ４０が嵌合すると、アンテナモジュール基板８に表面実装されているシェル３４と電気的に接続する。即ち、フレキシブルプリント基板４２は、シェル５２及びシェル３４を介してアンテナモジュール基板８のグランドに接続する。
【００４７】
コンタクト４６ａ〜４６ｅは、−Ｙ方向から順に配列されている。コンタクト５０ａ〜５０ｅは、−Ｙ方向から順に配列されている。また、コンタクト４６ａ〜４６ｅの列と、コンタクト５０ａ〜５０ｅの列とは、Ｘ方向に並行となるように配置されている。コンタクト４６ａ〜４６ｅの相手側コンタクト３０ａ〜３０ｅと接続する接点部と、コンタクト５０ａ〜５０ｅの相手側コンタクト３８ａ〜３８ｅと接続する接点部とは、互いに対向している。
【００４８】
また、上述の第１の実施の形態に係るプラグコネクタ１０に代えて、図１０〜図１３に示すプラグコネクタ（電線＋同軸の複合タイプのコネクタ）５４を備えてもよい。図１０はレセプタクルコネクタ１２及びプラグコネクタ５４が嵌合していない状態を示す斜視図、図１１はプラグコネクタ５４の構成を示す斜視図、図１２はプラグコネクタ５４の構成を示す分解図である。また、図１３（Ａ）はレセプタクルコネクタ１２とプラグコネクタ５４とが嵌合した状態を示す正面図、図１３（Ｂ）は図１３（Ａ）のＡ−Ａ断面図、図１３（Ｃ）は図１３（Ａ）のＢ−Ｂ断面図である。なお、図１０〜図１３においては、プラグコネクタ５４の構成の説明の便宜上、同軸ケーブル６ａ，６ｂ及び電線１４ａ〜１４ｅの先端部のみを図示する。また、プラグコネクタ１０の構成と同一の構成には同一の符号を付し、その説明を省略する。
【００４９】
プラグコネクタ５４は、第１コンタクト３１ａ，３１ｂ、グランド金具３２、ハウジング３３、アッパーシェル４７、ミドルシェル４８、アンダーシェル４９、５つの第３コンタクト３４ａ〜３４ｅ、及びハウジング３５を備えている。第１コンタクト３１ａ，３１ｂは、金属等の導体であって、ハウジング３３に組み込まれており、それぞれ同軸ケーブル６ａ，６ｂの芯線と電気的に接続する芯線接続部及びレセプタクルコネクタ１２の相手側コンタクト３０ａ，３０ｅと電気的に接続する第１接点部が設けられている。
【００５０】
グランド金具３２は、金属等の導体であって、ハウジング６５に組み込まれており、ミドルシェル４８と接続している。グランド金具３２には、レセプタクルコネクタ１２の相手側コンタクト３０ｂ〜３０ｄと電気的に接続する第２接点部３７が設けられている。
【００５１】
アッパーシェル４７は、金属等の導体であって、電線１４ａ〜１４ｅの外部シールドと電気的に接続する。ミドルシェル４８及びアンダーシェル４９は、金属等の導体であって、同軸ケーブル６ａ，６ｂの外部シールド３６ａ，３６ｂと電気的に接続する。ここで、ミドルシェル４８、アンダーシェル４９及び第２接点部３７は、相手側コンタクト３８ｂ〜３８ｄを介してアンテナモジュール基板８のグランドに接続する第２コンタクトとして機能している。
【００５２】
アッパーシェル４７及びミドルシェル４８は互いに接続している。ミドルシェル４８及びアンダーシェル４９は互いに接続している。ミドルシェル４８は、レセプタクルコネクタ１２のシェル３４と電気的に接続する。したがって、同軸ケーブル６ａ，６ｂの外部シールド３６ａ，３６ｂは、グランド金具３２、アッパーシェル４７、ミドルシェル４８、アンダーシェル４９、及びレセプタクルコネクタ１２のシェル３４を介して、アンテナモジュール基板８のグランドに接続する。
【００５３】
第３コンタクト３４ａ〜３４ｅは、金属等の導体であって、ハウジング３５に組み込まれている。第３コンタクト３４ａ〜３４ｅの一端部には、電線１４ａ〜１４ｅのそれぞれと電気的に接続する電線接続部が設けられている。また、第３コンタクト３４ａ〜３４ｅの他端部には、レセプタクルコンタクト１２の相手側コンタクト３８ａ〜３８ｅと電気的に接続する第３接点部を有している。同軸ケーブル６ａ，６ｂ及び電線１４ａ〜１４ｅがプラグコネクタ５４に挿入される挿入方向は−Ｘ方向であって、これは、プラグコネクタ５４とレセプタクルコネクタ１２とが嵌合する嵌合方向（Ｚ方向）と直交する方向または直交する方向に沿う方向である。プラグコネクタ５４によれば、加工容易性及び量産性を向上させることができる。
【００５４】
次に、図面を参照して本発明の第２の実施の形態に係る配線構造について説明する。この第２の実施の形態に係る配線構造において、プラグコネクタ１０以外の構成は、図１に示す第１の実施の形態に係る配線構造と同様の構成を有している。第２の実施の形態に係る配線構造は、第１の実施の形態に係るプラグコネクタ１０に代えてプラグコネクタ５５（図１４参照）を備えている。なお、第１の実施の形態に係る配線構造と同一の構成には同一の符号を付し、その説明を省略する。
【００５５】
図１４はレセプタクルコネクタ１２及びプラグコネクタ５５が嵌合した状態を示す斜視図、図１５はレセプタクルコネクタ１２及びプラグコネクタ５５が嵌合していない状態を示す斜視図、図１６はプラグコネクタ５５の構成を示す斜視図、図１７及び図１８はプラグコネクタ５５の構成を示す分解図である。また、図１９（Ａ）はレセプタクルコネクタ１２とプラグコネクタ５５とが嵌合した状態を示す正面図、図１９（Ｂ）は図１９（Ａ）のＡ−Ａ断面図、図１９（Ｃ）は図１９（Ａ）のＢ−Ｂ断面図である。なお、図１４〜図１９においては、プラグコネクタ５５の構成の説明の便宜上、同軸ケーブル６ａ，６ｂ及び電線１４ａ〜１４ｅの先端部のみを図示している。
【００５６】
プラグコネクタ５５は、図１４〜図１９に示すように、２つの第１コンタクト６０ａ，６０ｂ、グランド金具６１、ハウジング６５、アッパーシェル６９、ミドルシェル５９、アンダーシェル７０、５つの第３コンタクト６２ａ〜６２ｅ、及びハウジング６４を備えている。図２０は、２つの第１コンタクト６０ａ，６０ｂ、グランド金具６１、及び５つの第３コンタクト６２ａ〜６２ｅの構成を示す図である。
【００５７】
第１コンタクト６０ａ，６０ｂは、金属等の導体であって、ハウジング６５に組み込まれている。第１コンタクト６０ａの一端部６７ａには、同軸ケーブル６ａの芯線と電気的に接続する芯線接続部が設けられている。第１コンタクト１８ａの他端部６８ａには、レセプタクルコネクタ１２及びプラグコネクタ５５が嵌合した際に、レセプタクルコネクタ１２の相手側コンタクト（第１接続端子）３８ａと電気的に接続する第１接点部が設けられている。同様に、第１コンタクト６０ｂの一端部６７ｂには、同軸ケーブル６ｂの芯線と電気的に接続する芯線接続部、第１コンタクト６０ｂの他端部６８ｂには、レセプタクルコネクタ１２及びプラグコネクタ１０が嵌合した際にレセプタクルコネクタ１２の相手側コンタクト（第１接続端子）３８ｅと電気的に接続する第１接点部が設けられている。
【００５８】
グランド金具６１は金属等の導体であって、樹脂等の絶縁体であるハウジング６５に組み込まれている。グランド金具６１は、金属等の導体であるアッパーシェル６９と接続しており、アッパーシェル６９は、金属等の導体であるミドルシェル５９及び金属等の導体であるアンダーシェル７０と接続している。アッパーシェル６９には、同軸ケーブル６ａ，６ｂの外部シールド３６ａ，３６ｂと電気的に接続するシールド接続部７２ａ，７２ｂが設けられている。同様に、ミドルシェル５９には、同軸ケーブル６ａ，６ｂの外部シールド３６ａ，３６ｂと電気的に接続するシールド接続部７１ａ，７１ｂが設けられている。
【００５９】
グランド金具６１には、レセプタクルコネクタ１２及びプラグコネクタ５５が嵌合した際に、レセプタクルコネクタ１２の相手側コンタクト（第２接続端子）３８ｂ〜３８ｄと電気的に接続する第２接点部６６が設けられている。ここで、アッパーシェル６９のシールド接続部７２ａ，７２ｂ、ミドルシェル５９のシールド接続部７１ａ，７１ｂ及びグランド金具６１の第２接点部６６は、相手側コンタクト３８ｂ〜３８ｄを介してアンテナモジュール基板８のグランドに接続する第２コンタクトとして機能している。
【００６０】
また、アッパーシェル６９、ミドルシェル５９及びアンダーシェル７０は、上述したように互いに接続しており、アンダーシェル７０は、レセプタクルコネクタ１２及びプラグコネクタ５５が嵌合すると、レセプタクルコネクタ１２のシェル３４と電気的に接続する。したがって、同軸ケーブル６ａ，６ｂの外部シールド３６ａ，３６ｂは、グランド金具６１、アッパーシェル６９、ミドルシェル５９、アンダーシェル７０、及びレセプタクルコネクタ１２のシェル３４を介して、アンテナモジュール基板８のグランドに接続する。
【００６１】
また、グランド金具６１は、第１遮蔽板７１及び図示しない第１遮蔽板を有している。第１遮蔽板７１及び図示しない第１遮蔽板は、ＹＺ平面に平行な面に沿う面を有している。第１遮蔽板７１は、第１コンタクト６０ａと第３コンタクト６２ａとの間の少なくとも一部（一部または全部）を遮蔽する。図示しない第１遮蔽板は、第１コンタクト６０ｂと第３コンタクト６２ｅとの間の少なくとも一部（一部または全部）を遮蔽する。第１遮蔽板７１及び図示しない第１遮蔽板は、グランド金具６１、アッパーシェル６９、ミドルシェル５９、アンダーシェル７０、及びレセプタクルコネクタ１２のシェル３４を介して、アンテナモジュール基板８のグランドに間接的に接続する。
【００６２】
グランド金具６１は、第２遮蔽板７３を有している。第２遮蔽板７３は、ＹＺ平面に平行な面に沿う面を有し、第１コンタクト６０ａ，６０ｂの＋Ｘ方向側に配置される。即ち、第２遮蔽板７３は、第１コンタクト６０ａ、６０ｂ及び第３コンタクト６２ａ〜６２ｅを配置する方向外側（＋Ｘ方向側）における第１コンタクト６０ａ，６０ｂの少なくとも一部（一部または全部）を遮蔽する。第２遮蔽板７３は、グランド金具６１、アッパーシェル６９、ミドルシェル５９、アンダーシェル７０、及びレセプタクルコネクタ１２のシェル３４を介して、アンテナモジュール基板８のグランドに間接的に接続する。
【００６３】
グランド金具６１は、第３遮蔽板７４ａ，７４ｂ，７５及び図示しない第３遮蔽板を有している。第３遮蔽板７４ａは、ＺＸ平面に平行な面に沿う面を有し、第１コンタクト６０ａの−Ｙ方向側に配置される。即ち、第３遮蔽板７４ａは、第１コンタクト６０ａ、６０ｂ及び第３コンタクト６２ａ〜６２ｅを配置する方向片側（−Ｙ方向側）における第１コンタクト６０ａの少なくとも一部（一部または全部）を遮蔽する。
【００６４】
第３遮蔽板７４ｂは、ＺＸ平面に平行な面に沿う面を有し、第１コンタクト６０ｂの＋Ｙ方向側に配置される。即ち、第３遮蔽板７４ｂは、第１コンタクト６０ａ、６０ｂ及び第３コンタクト６２ａ〜６２ｅを配置する方向片側（＋Ｙ方向側）における第１コンタクト６０ｂの少なくとも一部（一部または全部）を遮蔽する。
【００６５】
第３遮蔽板７５は、第１コンタクト６０ａの＋Ｙ方向側に配置される。即ち、第３遮蔽板７５は、第１コンタクト６０ａ、６０ｂ及び第３コンタクト６２ａ〜６２ｅを配置する方向片側（＋Ｙ方向側）における第１コンタクト６０ａの少なくとも一部（一部または全部）を遮蔽する。図示しない第３遮蔽板は、第１コンタクト６０ｂの−Ｙ方向側に配置される。即ち、図示しない第３遮蔽板は、第１コンタクト６０ａ，６０ｂ及び第３コンタクト６２ａ〜６２ｅを配置する方向片側（−Ｙ方向側）における第１コンタクト６０ｂの少なくとも一部（一部または全部）を遮蔽する。第３遮蔽板７４ａ，７４ｂ，７５及び図示しない第３遮蔽板は、グランド金具６１、アッパーシェル６９、ミドルシェル５９、アンダーシェル７０、及びレセプタクルコネクタ１２のシェル３４を介して、アンテナモジュール基板８のグランドに間接的に接続する。また、第２コンタクトとしての第２接点部６６は、第３遮蔽板としても機能している。
【００６６】
ここで、第１コンタクト６０ａは、間接的にアンテナモジュール基板８のグランドに接続する第１遮蔽板７１、第２遮蔽板７３、第３遮蔽板７４ａ、第３遮蔽板７５及び第２接点部６６により全方位囲まれているため、第１コンタクト６０ａのインピーダンスと同軸ケーブル６ａのインピーダンスとが整合した状態で高速信号を良好に伝送することができる。同様に、第２コンタクト６０ｂは、間接的にアンテナモジュール基板８のグランドに接続する第１遮蔽板７１、第２遮蔽板７３、第３遮蔽板７４ａ、第３遮蔽板７５及び第２接点部６６により全方位囲まれているため、第１コンタクト６０ｂのインピーダンスと同軸ケーブル６ｂのインピーダンスとが整合した状態で高速信号を良好に伝送することができる。
【００６７】
なお、第１遮蔽板７１、第２遮蔽板７３、第３遮蔽板７４ａ、第３遮蔽板７５は、外部シールド３６ａ，３６ｂと直接接続する構成であってもよく、第１遮蔽板７１、第２遮蔽板７３、第３遮蔽板７４ａ、第３遮蔽板７５がアンテナモジュール基板８のグランドに直接接続する構成であってもよい。
【００６８】
図１６及び図１７に示すように、ハウジング５６には、電線１４ａ〜１４ｅが組み込まれる。グランドプレート５８は、電線１４ａ〜１４ｅそれぞれをシールドするシールド部５７ａ〜５７ｅと電気的に接続する。
【００６９】
第３コンタクト６２ａ〜６２ｅは、金属等の導体であって、ハウジング６４に組み込まれている。第３コンタクト６２ａ〜６２ｅの一端部には、電線１４ａ〜１４ｅのそれぞれと電気的に接続する電線接続部６３ａ〜６３ｅが設けられている。また、第３コンタクト６２ａ〜６２ｅの他端部には、レセプタクルコンタクト１２の相手側コンタクト（第３接続端子）３０ａ〜３０ｅと電気的に接続する図示しない第３接点部を有している。
【００７０】
同軸ケーブル６ａ，６ｂ及び電線１４ａ〜１４ｅがプラグコネクタ５５に挿入される挿入方向は−Ｘ方向であって、これは、プラグコネクタ５５とレセプタクルコネクタ１２とが嵌合する嵌合方向（Ｚ方向）と直交する方向または直交する方向に沿う方向である。また、電線１４ａ〜１４ｅは、同軸ケーブル６ａ，６ｂよりレセプタクルコネクタ１２と嵌合する嵌合部側、即ちアンテナモジュール基板８側（−Ｚ方向側）に挿入されている。
【００７１】
図２１は、比較例に係るスマートフォン用のアンテナモジュール基板８とパソコンの回路基板２との接続の概略構成を示す図であって、スマートフォン用のアンテナモジュール基板８とパソコンの回路基板２とを接続しようとしたとき想到する接続方法の一つである。図２１に示すように、アンテナモジュール基板８のレセプタクルコネクタ１２には、ショートフレキシブルプリント基板１００に実装されたプラグコネクタ（図示せず）が接続されており、ショートフレキシブルプリント基板１００は、プリント基板１０２に基板対基板コネクタ１０４で接続されている。更に、同軸ケーブル６ａ，６ｂはプリント基板１０２に基板対電線コネクタ１０６で、電線１４ａ〜１４ｅはプリント基板１０２に基板対電線コネクタ１０８で接続されている。図１と図２１とを比較したとき、プラグコネクタ１０（同様にプラグコネクタ５４）は、図２１に示すショートフレキシブルプリント基板１００に実装された図示しないコネクタ、ショートフレキシブルプリント基板１００、プリント基板１０２、基板対基板コネクタ１０４、基板対電線コネクタ１０６及び基板対電線コネクタ１０８のすべての機能を兼ね備えたコネクタであって、これらを一つにまとめたものである。即ち、上述の実施の形態に係るプラグコネクタ１０，５４，５５を用いることにより、配線のシンプル化だけでなく、低コスト化を実現することができる。
【００７２】
なお、上述の各実施の形態においては、２本の同軸ケーブルを備える場合を例に挙げて説明したが、１本または３本以上の同軸ケーブルを備えるようにしてもよい。同様に、上述の各実施の形態においては、５本の電線を備える場合を例に挙げて説明したが、４本以下または６本以上の電線を備えるようにしてもよい。また、上述の各実施の形態においては、同軸ケーブル及び電線を備える場合を例に挙げて説明したが、いずれか一方のみを備えるようにしてもよい。
【００７３】
また、上述の各実施の形態においては、第１コンタクト（シグナルコンタクト）の間に第２コンタクト（グランドコンタクト）が配置される場合を例に挙げて説明したが、第１コンタクト及び第２コンタクトの配列順序は限定されない。例えば、２つの第１コンタクト及び３つの第２コンタクトを有し第２コンタクトの間が第１コンタクトとなるように第１コンタクト及び第２コンタクトを配列するようにしてもよい。
【符号の説明】
【００７４】
１…配線構造、２…回路基板、４…拡張カード、６ａ，６ｂ…同軸ケーブル、８…アンテナモジュール基板、１０，４０，５４，５５…プラグコネクタ、１２…レセプタクルコネクタ、１４ａ〜１４ｅ…電線、１６ａ，１６ｂ，２４，２８，３３，３５，４４，６４，６５…ハウジング、１８ａ，１８ｂ，３１ａ，３１ｂ，６０ａ，６０ｂ…第１コンタクト、２０，３７，６６…第２接点部、２１，２３ａ，２３ｂ…遮蔽板、４８ａ〜４８ｃ…第２コンタクト、２２，３２，６１…グランド金具、２６ａ〜２６ｅ，３４ａ〜３４ｅ，６２ａ〜６２ｅ…第３コンタクト、３０ａ〜３０ｅ，３８ａ〜３８ｅ…相手側コンタクト、３４，５２…シェル、３６ａ，３６ｂ…外部シールド、４２…フレキシブルプリント基板、４６ａ〜４６ｅ，５０ａ〜５０ｅ…コンタクト、４７，６９…アッパーシェル、４８，５９…ミドルシェル、４９，７０…アンダーシェル、７１…第１遮蔽板、７２…第２遮蔽板、７４ａ，７４ｂ，７５…第３遮蔽板。
【図１】
2021024941.tif 000003
【図２】
2021024941.tif 000004
【図３】
2021024941.tif 000005
【図４】
2021024941.tif 000006
【図５】
2021024941.tif 000007
【図６】
2021024941.tif 000008
【図７】
2021024941.tif 000009
【図８】
2021024941.tif 000010
【図９】
2021024941.tif 000011
【図１０】
2021024941.tif 000012
【図１１】
2021024941.tif 000013
【図１２】
2021024941.tif 000014
【図１３】
2021024941.tif 000015
【図１４】
2021024941.tif 000016
【図１５】
2021024941.tif 000017
【図１６】
2021024941.tif 000018
【図１７】
2021024941.tif 000019
【図１８】
2021024941.tif 000020
【図１９】
2021024941.tif 000021
【図２０】
2021024941.tif 000022
【図２１】
2021024941.tif 000023
【手続補正書】
【提出日】令和3年6月16日(2021.6.16)
【手続補正１】
【補正対象書類名】特許請求の範囲
【補正対象項目名】全文
【補正方法】変更
【補正の内容】
【特許請求の範囲】
【請求項１】
前記同軸ケーブルの外部シールドと接続される第２コンタクトと、
前記同軸ケーブルとは異なる電線と接続される第３コンタクトと、
前記第１〜第３コンタクトを収容するとともに、前記第１〜第３コンタクトに機械的に接続された前記同軸ケーブル及び前記電線を収容するハウジングと、
を備え、
回路基板に実装された相手コネクタと嵌合することにより、前記回路基板と前記同軸ケーブル及び前記電線とを電気的に接続する、
電線対基板用のコネクタ。
【請求項２】
前記相手コネクタは、スマートフォンのメイン基板に接続されたフレキシブルプリント基板に実装される基板対基板用のコネクタと嵌合可能である、
請求項１に記載のコネクタ。
【請求項３】
前記第１コンタクト及び前記第２コンタクトは、前記相手コンタクトと接触する第１接点部及び第２接点部を有し、前記第１接点部及び前記第２接点部が一列に並ぶように前記ハウジングに配置され、
前記第３コンタクトは、前記相手コンタクトと接触する複数の第３接点部を有し、複数の前記第３接点部が前記第１接点部及び前記第２接点部と同じ方向に一列に並ぶように前記ハウジングに配置され、
前記第１接点部及び前記第２接点部の配列方向と、複数の前記第３接点部の配列方向とが平行である、
請求項１又は２に記載のコネクタ。
【請求項４】
前記第１コンタクトは、複数の前記第１接点部を有し、
前記第２接点部は、２つの前記第１接点部の間に配置されている、
請求項３に記載のコネクタ。
【請求項５】
前記第２コンタクトは、前記第１コンタクトと前記第３コンタクトとの間に介在する遮蔽部を有する、
請求項１から４のいずれか一項に記載のコネクタ。
【請求項６】
前記遮蔽部は、前記第１コンタクトを取り囲んでいる、
請求項５に記載のコネクタ。
【請求項７】
前記ハウジングは、前記同軸ケーブル及び前記電線を、前記相手コネクタと嵌合するときの嵌合方向と直交する方向に延在させた状態で収容する、
請求項１から請求項６のいずれか一項に記載のコネクタ。
【請求項８】
前記ハウジングは、複数の前記同軸ケーブルを一列に並んだ状態で収容するとともに、複数の前記電線を前記同軸ケーブルと同じ方向に一列に並んだ状態で収容し、
前記同軸ケーブル及び前記電線は、前記嵌合方向において重なる、
請求項７に記載のコネクタ。
【請求項９】
第１基板と、
第２基板と、
前記第１基板に接続される同軸ケーブルと、
前記第１基板に接続される前記同軸ケーブルとは異なる電線と、
前記同軸ケーブル及び前記電線に一体的に取り付けられる第１コネクタと、
前記第２基板に実装される第２コネクタと、を備え、
前記第１コネクタと前記第２コネクタが嵌合することにより、前記第１基板と前記第２基板とが電気的に接続される、
配線構造。
【請求項１０】
前記第２コネクタは、スマートフォンのメイン基板に接続されたフレキシブルプリント基板に実装される基板対基板用のコネクタと嵌合可能であり、
前記第２基板は、スマートフォンのアンテナモジュール基板である、
請求項９に記載の配線構造。
【請求項１１】
前記第１基板は、スマートフォン以外の通信機器のメイン基板である、
請求項１０に記載の配線構造。
【請求項１２】
前記通信機器は、ノートパソコンであり、
前記同軸ケーブル及び前記電線は、前記ノートパソコンのヒンジ部に配置される、
請求項１１に記載の配線構造。
【請求項１３】
前記メイン基板に実装されるサブ基板をさらに備え、
前記メイン基板は、前記サブ基板を介して、前記同軸ケーブルに接続されている、
請求項１１又は１２に記載の配線構造
【請求項１４】
前記第１コネクタは、
前記同軸ケーブルの芯線と接続される第１コンタクトと、
前記同軸ケーブルの外部シールドと接続される第２コンタクトと、
前記電線と接続される第３コンタクトと、
前記第１〜第３コンタクトを収容するとともに、前記第１〜第３コンタクトに機械的に接続された前記同軸ケーブル及び前記電線を収容するハウジングと、
を有する、
請求項９から１３のいずれか一項に記載の配線構造。
【請求項１５】
第１基板に接続された同軸ケーブル及び前記同軸ケーブルとは異なる電線を電線対基板用の第１コネクタに一体的に取り付けるステップと、
第２コネクタを実装した第２基板を準備するステップと、
前記第１コネクタと前記第２コネクタを嵌合することで、前記第１基板と前記第２基板を電気的に接続するステップと、
を備える、基板間接続方法。
【請求項１６】
前記第２コネクタは、スマートフォンのメイン基板に接続されたフレキシブルプリント基板に実装される基板対基板用のコネクタと嵌合可能であり、
前記第２基板として、スマートフォンのアンテナモジュール基板を用いる、
請求項１５に記載の基板間接続方法。
【手続補正３】
【補正対象書類名】明細書
【補正対象項目名】０００６
【補正方法】変更
【補正の内容】
【０００６】
本発明の目的は、移動通信機器の回路基板に他種の移動通信機器のモジュール基板を最適な配線材を用いて接続することができるコネクタ、配線構造及び基板間接続方法を提供することである。
【手続補正４】
【補正対象書類名】明細書
【補正対象項目名】０００７
【補正方法】変更
【補正の内容】
【０００７】
本発明のコネクタは、
同軸ケーブルの芯線と接続される第１コンタクトと、
前記同軸ケーブルの外部シールドと接続される第２コンタクトと、
前記同軸ケーブルとは異なる電線と接続される第３コンタクトと、
前記第１〜第３コンタクトを収容するとともに、前記第１〜第３コンタクトに機械的に接続された前記同軸ケーブル及び前記電線を収容するハウジングと、
を備え、
回路基板に実装された相手コネクタと嵌合することにより、前記回路基板と前記同軸ケーブル及び前記電線とを電気的に接続する、
電線対基板用のコネクタである。
また、本発明の配線構造は、
第１基板と、
第２基板と、
前記第１基板に接続される同軸ケーブルと、
前記第１基板に接続される前記同軸ケーブルとは異なる電線と、
前記同軸ケーブル及び前記電線に一体的に取り付けられる第１コネクタと、
前記第２基板に実装される第２コネクタと、を備え、
前記第１コネクタと前記第２コネクタが嵌合することにより、前記第１基板と前記第２基板とが電気的に接続される。
また、本発明の基板間接続方法は、
第１基板に接続された同軸ケーブル及び前記同軸ケーブルとは異なる電線を電線対基板用の第１コネクタに一体的に取り付けるステップと、
第２コネクタを実装した第２基板を準備するステップと、
前記第１コネクタと前記第２コネクタを嵌合することで、前記第１基板と前記第２基板を電気的に接続するステップと、を備える。
【手続補正５】
【補正対象書類名】明細書
【補正対象項目名】００２１
【補正方法】変更
【補正の内容】
【００２１】
本発明によれば、移動通信機器の回路基板に他種の移動通信機器のモジュール基板を最適な配線材を用いて接続することができるコネクタ、配線構造及び基板間接続方法を提供することができる。
【手続補正書】
【提出日】令和3年7月2日(2021.7.2)
【手続補正１】
【補正対象書類名】特許請求の範囲
【補正対象項目名】全文
【補正方法】変更
【補正の内容】
【特許請求の範囲】
【請求項１】
同軸ケーブルの芯線と接続される第１コンタクトと、
前記同軸ケーブルの外部シールドと接続される第２コンタクトと、
前記同軸ケーブルとは異なる電線と接続される第３コンタクトと、
前記第１〜第３コンタクトを収容するとともに、前記第１〜第３コンタクトに機械的に接続された前記同軸ケーブル及び前記電線を収容するハウジングと、
を備え、
回路基板に実装された相手コネクタと嵌合することにより、前記回路基板と前記同軸ケーブル及び前記電線とを電気的に接続する、
電線対基板用のコネクタ。
【請求項２】
前記相手コネクタは、スマートフォンのメイン基板に接続されたフレキシブルプリント基板に実装される基板対基板用のコネクタと嵌合可能である、
請求項１に記載のコネクタ。
【請求項３】
前記第１コンタクト及び前記第２コンタクトは、前記相手コンタクトと接触する第１接点部及び第２接点部を有し、前記第１接点部及び前記第２接点部が一列に並ぶように前記ハウジングに配置され、
前記第３コンタクトは、前記相手コンタクトと接触する複数の第３接点部を有し、複数の前記第３接点部が前記第１接点部及び前記第２接点部と同じ方向に一列に並ぶように前記ハウジングに配置され、
前記第１接点部及び前記第２接点部の配列方向と、複数の前記第３接点部の配列方向とが平行である、
請求項１又は２に記載のコネクタ。
【請求項４】
前記第１コンタクトは、複数の前記第１接点部を有し、
前記第２接点部は、２つの前記第１接点部の間に配置されている、
請求項３に記載のコネクタ。
【請求項５】
前記第２コンタクトは、前記第１コンタクトと前記第３コンタクトとの間に介在する遮蔽部を有する、
請求項１から４のいずれか一項に記載のコネクタ。
【請求項６】
前記遮蔽部は、前記第１コンタクトを取り囲んでいる、
請求項５に記載のコネクタ。
【請求項７】
前記ハウジングは、前記同軸ケーブル及び前記電線を、前記相手コネクタと嵌合するときの嵌合方向と直交する方向に延在させた状態で収容する、
請求項１から請求項６のいずれか一項に記載のコネクタ。
【請求項８】
前記ハウジングは、複数の前記同軸ケーブルを一列に並んだ状態で収容するとともに、複数の前記電線を前記同軸ケーブルと同じ方向に一列に並んだ状態で収容し、
前記同軸ケーブル及び前記電線は、前記嵌合方向において重なる、
請求項７に記載のコネクタ。
【請求項９】
第１基板と、
第２基板と、
前記第１基板に接続される同軸ケーブルと、
前記第１基板に接続される前記同軸ケーブルとは異なる電線と、
前記同軸ケーブル及び前記電線に一体的に取り付けられる第１コネクタと、
前記第２基板に実装される第２コネクタと、を備え、
前記第１コネクタと前記第２コネクタが嵌合することにより、前記第１基板と前記第２基板とが電気的に接続される、
配線構造。
【請求項１０】
前記第２コネクタは、スマートフォンのメイン基板に接続されたフレキシブルプリント基板に実装される基板対基板用のコネクタと嵌合可能であり、
前記第２基板は、スマートフォンのアンテナモジュール基板である、
請求項９に記載の配線構造。
【請求項１１】
前記第１基板は、スマートフォン以外の通信機器のメイン基板である、
請求項１０に記載の配線構造。
【請求項１２】
前記通信機器は、ノートパソコンであり、
前記同軸ケーブル及び前記電線は、前記ノートパソコンのヒンジ部に配置される、
請求項１１に記載の配線構造。
【請求項１３】
前記メイン基板に実装されるサブ基板をさらに備え、
前記メイン基板は、前記サブ基板を介して、前記同軸ケーブルに接続されている、
請求項１１又は１２に記載の配線構造
【請求項１４】
前記第１コネクタは、
前記同軸ケーブルの芯線と接続される第１コンタクトと、
前記同軸ケーブルの外部シールドと接続される第２コンタクトと、
前記電線と接続される第３コンタクトと、
前記第１〜第３コンタクトを収容するとともに、前記第１〜第３コンタクトに機械的に接続された前記同軸ケーブル及び前記電線を収容するハウジングと、
を有する、
請求項９から１３のいずれか一項に記載の配線構造。
【請求項１５】
第１基板に接続された同軸ケーブル及び前記同軸ケーブルとは異なる電線を電線対基板用の第１コネクタに一体的に取り付けるステップと、
第２コネクタを実装した第２基板を準備するステップと、
前記第１コネクタと前記第２コネクタを嵌合することで、前記第１基板と前記第２基板を電気的に接続するステップと、
を備える、基板間接続方法。
【請求項１６】
前記第２コネクタは、スマートフォンのメイン基板に接続されたフレキシブルプリント基板に実装される基板対基板用のコネクタと嵌合可能であり、
前記第２基板として、スマートフォンのアンテナモジュール基板を用いる、
請求項１５に記載の基板間接続方法。
【国際調査報告】
2021024941.tif 000024
2021024941.tif 000025
2021024941.tif 000026
2021024941.tif 000027